【手続補正書】
【提出日】令和3年8月20日(2021.8.20)
【手続補正１】
【補正対象書類名】特許請求の範囲
【補正対象項目名】全文
【補正方法】変更
【補正の内容】
【特許請求の範囲】
【請求項１】
Ｗｉ−Ｆｉ  Ｄｅｖｉｃｅ  Ｐｒｏｖｉｓｉｏｎｉｎｇ  Ｐｒｏｔｏｃｏｌを用いた通信パラメータ共有処理において用いられる公開鍵を共有する処理を実行する実行手段と、
前記実行手段の処理によって共有された公開鍵を用いて、通信パラメータを提供する提供装置との間で認証処理を実行する認証手段と、
前記認証処理の後、無線ＬＡＮの接続のために用いられる通信パラメータと、無線ＬＡＮの通信レイヤよりも上位の通信レイヤの情報とを要求することを示すＣｏｎｆｉｇｕｒａｔｉｏｎ  Ｒｅｑｕｅｓｔパケットを生成する生成手段と、
前記生成手段によって生成されたＣｏｎｆｉｇｕｒａｔｉｏｎ  Ｒｅｑｕｅｓｔパケットを前記提供装置へ送信する送信手段と、
を有することを特徴とする通信装置。
【請求項２】
無線ＬＡＮの通信レイヤよりも上位の通信レイヤの情報を必要とするか否か判定する判定手段を更に有し、
前記生成手段は、前記判定手段によって必要と判定された場合、無線ＬＡＮの接続のために用いられる通信パラメータの要求に加えて、無線ＬＡＮの通信レイヤよりも上位の通信レイヤの情報を要求することを示すＣｏｎｆｉｇｕｒａｔｉｏｎ  Ｒｅｑｕｅｓｔパケットを生成し、前記判定手段によって必要と判定されなかった場合、無線ＬＡＮの接続のために用いられる通信パラメータを要求することを示すＣｏｎｆｉｇｕｒａｔｉｏｎ  Ｒｅｑｕｅｓｔパケットを生成することを特徴とする請求項１に記載の通信装置。
【請求項３】
前記送信手段によって送信されたＣｏｎｆｉｇｕｒａｔｉｏｎ  Ｒｅｑｕｅｓｔパケットに応答して前記提供装置から送信されたＣｏｎｆｉｇｕｒａｔｏｉｎ  Ｒｅｓｐｏｎｓｅパケットを受信する受信手段と、
前記受信手段によって受信されたＣｏｎｆｉｇｕｒａｔｏｉｎ  Ｒｅｓｐｏｎｓｅパケットから取得された無線ＬＡＮの接続のために用いられる通信パラメータと、無線ＬＡＮの通信レイヤよりも上位の通信レイヤの情報とを自装置に設定する設定手段と、
を更に有することを特徴とする請求項１又は２に記載の通信装置。
【請求項４】
Ｗｉ−Ｆｉ  Ｄｅｖｉｃｅ  Ｐｒｏｖｉｓｉｏｎｉｎｇ  Ｐｒｏｔｏｃｏｌを用いた通信パラメータ共有処理において用いられる公開鍵を共有する処理を実行する実行手段と、
前記実行手段の処理によって共有された公開鍵を用いて、通信パラメータを受信する受信装置との間で認証処理を実行する認証手段と、
前記認証処理の後、無線ＬＡＮの接続のために用いられる通信パラメータと、無線ＬＡＮの通信レイヤよりも上位の通信レイヤの情報とを要求することを示すＣｏｎｆｉｇｕｒａｔｉｏｎ  Ｒｅｑｕｅｓｔパケットを、前記受信装置から受信する受信手段と、
前記受信手段によって受信されたＣｏｎｆｉｇｕｒａｔｉｏｎ  Ｒｅｑｕｅｓｔパケットに応答して、無線ＬＡＮの接続のために用いられる通信パラメータと、無線ＬＡＮの通信レイヤよりも上位の通信レイヤの情報とを含むＣｏｎｆｉｇｕｒａｔｏｉｎ  Ｒｅｓｐｏｎｓｅパケットを、前記受信装置へ送信する送信手段と、
を有することを特徴とする通信装置。
【請求項５】
前記通信パラメータ共有処理を開始する指示を受け付ける受付手段を更に有し、
前記実行手段は、前記指示に従って、前記公開鍵を共有する処理を実行することを特徴とする請求項１乃至４の何れか一項に記載の通信装置。
【請求項６】
前記通信パラメータ共有処理において用いられる公開鍵を共有する処理は、前記提供装置と前記受信装置の一方が他方のＱＲコード（登録商標）を撮影することによって公開鍵を共有する処理であることを特徴とする請求項１乃至５の何れか一項に記載の通信装置。
【請求項７】
前記無線ＬＡＮの接続のために用いられる通信パラメータは、ＳＳＩＤ（Ｓｅｒｖｉｃｅ  Ｓｅｔ  Ｉｄｅｎｔｉｆｉｅｒ）、暗号方式、暗号鍵、認証方式、認証鍵のうちの少なくとも１つを含むことを特徴とする請求項１乃至６の何れか一項に記載の通信装置。
【請求項８】
無線ＬＡＮの通信レイヤよりも上位の通信レイヤの情報は、ＩＰアドレス、実行されるサービスに関する情報の少なくとも何れかを含むことを特徴とする請求項１乃至７の何れか一項に記載の通信装置。
【請求項９】
通信パラメータの共有処理において用いられる公開鍵を、画像の撮影又は無線通信により共有する処理を実行する実行手段と、
前記実行手段の処理によって共有された公開鍵を用いて、通信パラメータを提供する提供装置との間で認証処理を実行する認証手段と、
前記認証処理の後、無線ＬＡＮの接続のために用いられる通信パラメータと、無線ＬＡＮの通信レイヤよりも上位の通信レイヤの情報とを要求することを示すパケットを前記提供装置に送信する送信手段と、
を有することを特徴とする通信装置。
【請求項１０】
通信パラメータの共有処理において用いられる公開鍵を、画像の撮影又は無線通信により共有する処理を実行する実行手段と、
前記実行手段の処理によって共有された公開鍵を用いて、通信パラメータを受信する受信装置との間で認証処理を実行する認証手段と、
前記認証処理の後、無線ＬＡＮの接続のために用いられる通信パラメータと、無線ＬＡＮの通信レイヤよりも上位の通信レイヤの情報とを要求することを示すパケットを前記受信装置から受信する受信手段と、
を有することを特徴とする通信装置。
【請求項１１】
前記公開鍵を共有する処理は、二次元コードの撮影により行われることを特徴とする請求項９又は１０に記載の通信装置。
【請求項１２】
Ｗｉ−Ｆｉ  Ｄｅｖｉｃｅ  Ｐｒｏｖｉｓｉｏｎｉｎｇ  Ｐｒｏｔｏｃｏｌを用いた通信パラメータ共有処理において用いられる公開鍵を共有する処理を実行する実行工程と、
前記共有された公開鍵を用いて、通信パラメータを提供する提供装置との間で認証処理を実行する認証工程と、
前記認証処理の後、無線ＬＡＮの接続のために用いられる通信パラメータと、無線ＬＡＮの通信レイヤよりも上位の通信レイヤの情報とを要求することを示すＣｏｎｆｉｇｕｒａｔｉｏｎ  Ｒｅｑｕｅｓｔパケットを生成する生成工程と、
前記生成されたＣｏｎｆｉｇｕｒａｔｉｏｎ  Ｒｅｑｕｅｓｔパケットを前記提供装置へ送信する送信工程と、
を有することを特徴とする通信方法。
【請求項１３】
Ｗｉ−Ｆｉ  Ｄｅｖｉｃｅ  Ｐｒｏｖｉｓｉｏｎｉｎｇ  Ｐｒｏｔｏｃｏｌを用いた通信パラメータ共有処理において用いられる公開鍵を共有する処理を実行する実行工程と、
前記共有された公開鍵を用いて、通信パラメータを受信する受信装置との間で認証処理を実行する認証工程と、
前記認証処理の後、無線ＬＡＮの接続のために用いられる通信パラメータと、無線ＬＡＮの通信レイヤよりも上位の通信レイヤの情報とを要求することを示すＣｏｎｆｉｇｕｒａｔｉｏｎ  Ｒｅｑｕｅｓｔパケットを、前記受信装置から受信する受信工程と、
前記受信されたＣｏｎｆｉｇｕｒａｔｉｏｎ  Ｒｅｑｕｅｓｔパケットに応答して、無線ＬＡＮの接続のために用いられる通信パラメータと、無線ＬＡＮの通信レイヤよりも上位の通信レイヤの情報とを含むＣｏｎｆｉｇｕｒａｔｏｉｎ  Ｒｅｓｐｏｎｓｅパケットを、前記受信装置へ送信する送信工程と、
を有することを特徴とする通信方法。
【請求項１４】
前記請求項１乃至１１の何れか一項に記載の通信装置としてコンピュータを動作させるためのプログラム。
【手続補正２】
【補正対象書類名】明細書
【補正対象項目名】０００８
【補正方法】変更
【補正の内容】
【０００８】
上述の課題を解決するために、本発明の通信装置は、Ｗｉ−Ｆｉ  Ｄｅｖｉｃｅ  Ｐｒｏｖｉｓｉｏｎｉｎｇ  Ｐｒｏｔｏｃｏｌを用いた通信パラメータ共有処理において用いられる公開鍵を共有する処理を実行する実行手段と、前記実行手段の処理によって共有された公開鍵を用いて、通信パラメータを提供する提供装置との間で認証処理を実行する認証手段と、前記認証処理の後、無線ＬＡＮの接続のために用いられる通信パラメータと、無線ＬＡＮの通信レイヤよりも上位の通信レイヤの情報とを要求することを示すＣｏｎｆｉｇｕｒａｔｉｏｎ  Ｒｅｑｕｅｓｔパケットを生成する生成手段と、前記生成手段によって生成されたＣｏｎｆｉｇｕｒａｔｉｏｎ  Ｒｅｑｕｅｓｔパケットを前記提供装置へ送信する送信手段とを有することを特徴とする。